(57)【要約】【課題】  監視カメラの取付作業の効率性および安全性を向上させる。【解決手段】  まず、仮止部２２が天井にネジ止めされる。これによって、台座１２は、当該天井に仮固定される。そして、この仮固定の状態で、台座１２内に設けられた各端子３０，３２，３４および３４と外部配線との接続が行われる。このとき、本体部２４は、仮止部２２に連結されているので、当該本体部２４を何らかの方法によって保持する必要はない。そして、この接続作業の終了後、本体部２４が天井にネジ止めされる。これにより、台座１２は、当該天井に完全固定される。そして、この天井に固定された台座１２に、カメラユニットが取り付けられ、このカメラユニットを覆うように、カバーが取り付けられ、一連の取付作業が完了する。【選択図】        図６
2006208446.tif 000002
【特許請求の範囲】
【請求項１】
監視カメラを固定対象に取り付けるための取付装置において、
複数の取付部分において上記固定対象に固定されると共に上記監視カメラと外部の配線との電気的な接続を中継するための端子を有する基部を具備し、
上記基部は互いに連結された第１部分と第２部分とを備え、
上記第１部分および上記第２部分のそれぞれに上記取付部分が設けられ、
上記第１部分および上記第２部分のうち該第１部分のみが上記固定対象に固定されているとき該第２部分が該第１部分との連結状態を維持しつつ上記外部から上記端子を操作可能となるように可動に構成されたことを特徴とする、監視カメラの取付装置。
【請求項２】
上記固定対象は平面を有し、
上記第１部分および上記第２部分のそれぞれは上記固定対象に固定されるとき上記平面に接触する部分を有し、
上記第１部分が上記平面に接触しているとき上記第２部分は上記平面に接触する第１状態と上記平面に沿う軸を中心として回転し上記平面と非接触となる第２状態とに任意に遷移可能とされた、
請求項１に記載の監視カメラの取付装置。
【請求項３】
上記第１部分および上記第２部分はヒンジ手段によって連結された、請求項１または２に記載の監視カメラの取付装置。
【請求項４】
上記第２部分に上記端子が設けられた、請求項１ないし３のいずれかに記載の監視カメラの取付装置。
【請求項５】
上記固定対象は天井である、請求項１ないし４のいずれかに記載の監視カメラの取付装置。
【発明の詳細な説明】
【技術分野】
【０００１】
この発明は、監視カメラの取付装置に関し、特に例えば天井等の固定対象に当該監視カメラを取り付けるための取付装置に関する。
【背景技術】
【０００２】
この種の取付装置として、従来、例えば特許文献１に開示されたものがある。この従来技術によれば、基部としての後箱が、天井に取り付けられる。そして、この後箱の空洞内に、カメラハウジングが収容される。カメラハウジングには、カメラモジュールが組み込まれており、このカメラモジュールを覆うように、ドーム型の窓が取り付けられる。なお、後箱の空洞内には、カードエッジコネクタが設けられており、カメラハウジングには、当該カードエッジコネクタに結合されるプリント回路板が設けられている。また、詳しくは開示されていないが、後箱には、当該エッジコネクタと外部の配線、例えば天井裏に敷設された配線との電気的な接続を中継するための端子が設けられており、後箱が天井に取り付けられる前に、当該端子と外部配線との接続が行われるものと、推察される。
【特許文献１】特表２００２−５１８７６１号公報
【発明の開示】
【発明が解決しようとする課題】
【０００３】
ところで、上述の如く、後箱が天井に取り付けられる前に、当該後箱に設けられた端子と外部配線との接続が行われるとすると、その接続を行う作業者は、当該接続の際に何らかの方法で後箱を保持する必要がある。このように後箱という接続対象を保持しながら接続作業を行うことは、作業の効率性および安全性の観点から決して好ましくない。また、例えば、後箱が天井に取り付けられた後に、配線ミス等により接続をし直す必要性が生じた場合には、一旦、後箱を天井から取り外した上で、改めて接続作業を行わなければならず、非常に面倒である。
【０００４】
そこで、この発明は、従来よりも作業の効率性および安全性の高い監視カメラの取付装置を提供することを、目的とする。
【課題を解決するための手段】
【０００５】
かかる目的を達成するために、この発明は、監視カメラを天井等の固定対象に取り付けるための取付装置において、複数の取付部分で固定対象に固定されると共に監視カメラと外部の配線との電気的な接続を中継するための端子を有する基部を、具備する。そして、この基部は、互いに機械的に連結された第１部分と第２部分とを備える。さらに、これら第１部分および第２部分のそれぞれに、当該取付部分、例えば固定手段としてネジが用いられる場合には当該ネジを挿通させるためのネジ挿通孔が、設けられている。そして、第１部分および第２部分のうちの第１部分のみが固定対象に固定されているとき、第２部分が、当該第１部分との連結状態を維持しつつ外部から端子を操作可能となるように可動に構成されたこと、を特徴とするものである。
【０００６】
即ち、この発明では、基部を構成する第１部分および第２部分のそれぞれに、ネジ挿通孔等の取付部分（固定箇所）が、設けられている。そして、第１部分および第２部分のうちの第１部分のみが固定対象に固定されているとき、第２部分は、第１部分との連結状態を維持しつつ、外部から端子を操作可能となるように可動に構成されている。従って、かかる基部を固定対象に固定する際には、まず、第１部分のみを当該固定対象に固定する。そして、この状態で、端子と外部の配線との接続を行う。このとき、第２部分は、第１部分と連結されているので、当該第２部分を何らかの方法により保持する必要はない。つまり、先に第１部分のみを固定対象に固定することで、基部全体を言わば仮固定し、この仮固定の状態で、端子と外部配線との接続を行う。そして、この接続作業の終了後、第２部分を固定対象に固定することで、基部全体の言わば完全固定を終了する。
【０００７】
なお、固定対象が、例えば天井等の平面を有する場合は、次のような構成とするのが、望ましい。即ち、第１部分および第２部分のそれぞれは、固定対象に固定されるとき当該平面に接触する部分を有するものとする。そして、第１部分のみが固定対象に固定され当該平面に接触しているとき、第２部分は、当該平面に接触する第１状態と、当該平面に沿う軸を中心として回転し当該平面と非接触となる第２状態と、のいずれか一方に任意に遷移可能となるように構成するのが、望ましい。
【０００８】
このような構成は、例えば第１部分および第２部分をヒンジ手段により連結することで、実現できる。
【０００９】
また、第１部分および第２部分のうち、言わば可動側の第２部分に上述の端子を設けるのが、望ましい。このように可動側に端子を設けることで、例えば作業者が作業し易いように当該端子の位置を調整することができるからである。
【発明の効果】
【００１０】
この発明によれば、基部を構成する第１部分および第２部分のうち、先に第１部分のみを固定対象に固定することで、基部全体を仮固定し、この仮固定の状態で、端子と外部配線との接続を行うことができる。このとき、第２部分は、第１部分と連結されているので、当該第２部分を何らかの方法により保持する必要はない。そして、端子と外部配線との接続終了後、第２部分を固定対象に固定することで、基部全体の完全固定を実現できる。従って、外部配線との接続を行う際にその接続対象である後箱を何らかの方法により保持しなければならないという上述した従来技術に比べて、作業の効率性および安全性が向上する。
【発明を実施するための最良の形態】
【００１１】
この発明の一実施形態について、図１〜図７を参照して説明する。
【００１２】
この実施形態は、図１に示すようなドーム型の監視カメラ装置１０にこの発明を適用したものであり、当該監視カメラ装置１０は、基部としての台座１２と、図２に示す如く当該台座１２に結合されるカメラユニット１４と、このカメラユニット１４を図１に示すように覆うためのカバー１６とで、構成されている。なお、この監視カメラ装置１０は、図１および図２に示すように、台座１２を上方に向けた状態、換言すればカメラユニット１４およびカバー１６を下方に位置させた状態で、例えば天井に取り付けられる。また、当該天井への固定手段としては、例えば図示しない４本のネジが用いられる。
【００１３】
具体的には、まず、台座１２が、当該４本のネジによって天井に固定される。即ち、台座１２は、図３および図４に示すように、独立して分離可能とされており、概略円錐台状の形状をしている。そして、この台座１２には、その上方から下方に向けて貫通する４つのネジ挿通孔２０，２０，…が設けられており、これらのネジ挿通孔２０，２０，…を通して天井にネジ止めされる。なお、図３における上方側（または図４における紙面の裏面側）が、天井に固定される上面側とされ、図３における下方側（または図４における紙面の表面側）が、カメラユニット１４およびカバー１６が取り付けられる下面側とされる。
【００１４】
また、台座１２は、第１部分としての仮止部２２と、第２部分としての本体部２４とに、分かれている。このうち、仮止部２２は、台座１２の周縁部分の一部を切り欠いたような構造とされており、当該仮止部２２以外の部分が、本体部２４とされている。そして、これら仮止部２２および本体部２４のそれぞれに、上述のネジ挿通孔２０が２つずつ設けられている。
【００１５】
これらの仮止部２２および本体部２４は、２つのピン２６および２６によって互いに連結されている。具体的には、仮止部２２は、互いに距離を置いて平行を成すと共に、水平面に対して垂直を成す２つの壁部２８および２８を、有している。一方、本体部２２は、これらの壁部２８および２８を外側から挟み、かつ当該壁部２８および２８に対し平行に設けられた２つの平板部２９および２９を、有している。そして、互いに対向する壁部２８と平板部２９との組合せ毎に、当該壁部２８と平板部２９とを貫通するように、ピン２６が１つずつ設けられている。
【００１６】
つまり、仮止部２２と本体部２４とは、言わばピン２８および２８を軸とするヒンジ（蝶番）状に連結されている。従って、例えば、仮止部２２を基準として考えると、本体部２４は、図３および図４に示すように、当該仮止部２２と共に台座１２を概略円錐台状に形成する第１状態と、図５および図６に示すように、当該円錐台状の形状を解除する第２状態とに、任意に遷移可能とされている。
【００１７】
また、図６に示すように、本体部２４の上面側の内側空間には、天井裏に敷設された図示しない外部配線に接続される複数の端子３０，３２，３４および３４が、設けられている。具体的には、電源線路に接続される電源端子３０と、映像信号線路に接続される映像信号出力端子（ＢＮＣ端子）３２と、制御用線路に接続される２つの制御用端子３４および３４とが、設けられている。なお、これらの端子３０，３２，３４および３４は、いずれも一般に入手可能な市販品であり、本体部２４の上面から突出しないように設けられている。また、当該端子３０，３２，３４および３４は、本体部２４内に設けられた図示しないプリント配線板に接続されている
【００１８】
そして、図３〜図５に示すように、本体部２４の下側面には、上述したカメラユニット１４と電気的に接続されるユニット接続端子３６が、設けられている。このユニット接続端子３６もまた、市販品であり、例えばピン配列が１６列２段構成の３２芯形（多芯形）のものである。勿論、カメラユニット１４側には、当該ユニット接続端子３６と結合（嵌合）される図示しない相手方端子が設けられている。そして、特に図４に示すように、このユニット接続端子３６は、本体部２４内に設けられた上述とは別のプリント配線板３８に取り付けられており、当該ユニット接続端子３６を含むプリント配線板３８は、図４に矢印４０および４２で示すように、本体部２４（台座１２）の中央を軸として所定の角度内で回動可能とされている。なお、台座１２にカメラユニット１４が結合されていないときは、当該プリント配線板３８は、本体部２４内に設けられた図示しない付勢手段としてのバネによって、矢印４０で示す方向（時計回り方向）に付勢されている。そして、台座１２にカメラユニット１４が結合されるとき、プリント配線板３８は、矢印４２で示す方向に回動され、これによって、ユニット接続端子３６は、図４に点線３６ａで示す位置に移動する。また、図には示さないが、プリント配線板３８は、図示しない信号線を介して、上述のプリント配線板に接続されている。
【００１９】
さらに、本体部２４の下面側には、周縁に沿って略等間隔に複数、例えば４つの係止部４４，４４，…が設けられている。これらの係止部４４，４４，…は、上述したカバー１６を係止するためのものであり、よって、カバー１６側には、当該係止部４４，４４，…に対応する図示しない相手方係止部が、設けられている。また、本体部２４の下面側の周縁部分には、当該本体部２４の中央を挟んで互いに対向するように、２つの湾曲板状の案内部４６および４６が、設けられている。この案内部４６および４６は、カバー１６が取り付けられる際に、当該カバー１６を案内するためのものである。
【００２０】
そしてさらに、本体部２４の下面側には、これにカメラユニット１４を固定するための固定用ネジ４８（頭部）が、設けられている。この固定用ネジ４８は、本体部２４の中央を挟んで仮止部２２と対向する位置に配置されており、図示しないバネによって、そのネジ部側から頭部側に向かう方向に付勢されている。従って、カメラユニット１４が固定されていないときは、当該固定用ネジ４６の頭部は、本体部２４の下面側の表面から若干浮いた状態にある。
【００２１】
一方、仮止部２２側にも、同様の固定用ネジ５０が設けられている。具体的には、仮止部２２の内側に、当該固定用ネジ５０が、その頭部を下面側に向けた状態で、設けられている。また、図３および図４に示すように、本体部２４が上述した第１状態にあるとき、当該仮止部２２側の固定用ネジ５０は、台座１２の中央を挟んで本体部２４側の固定用ネジ４６と正反対の位置に、設けられている。そして、この仮止部２２側の固定用ネジ５０もまた、図示しないバネによって、そのネジ部側から頭部側に向かう方向に付勢されている。
【００２２】
さらに、図４および図６に示すように、仮止部２２の内側には、落下防止用の図示しないワイヤを繋ぐためのワイヤ接続片５２も、設けられている。即ち、このワイヤ接続片５２と天井裏とを当該ワイヤで繋げば、次に説明する取付作業時において、台座１２の落下事故を防ぐことができる。
【００２３】
このように構成された台座１２によれば、まず、仮止部２２が、これに設けられた２つのネジ挿通孔２０および２０に挿通される２本のネジによって、天井に固定される。これにより、台座１２は、天井に言わば仮固定された状態になる。そして、図５および図６に示すように、本体部２４が第２状態とされ、つまりその上面が天井から離された状態とされる。これによって、当該上面側に設けられた各端子３０，３２，３４および３４が外部（天井下の空間）に露出された状態となり、当該外部から容易に操作可能となる。そして、この状態で、これらの端子３０，３２，３４および３４と外部配線との接続が、行われる。
【００２４】
この接続作業の終了後、図３および図４に示すように、本体部２４が第１状態とされ、つまり仮止部２２と共に台座１２を概略円錐台状に形成する状態とされる。そして、この状態で、本体部２４が、これに設けられた２つのネジ挿通孔２０および２０に挿通される２本のネジによって、天井に固定される。これにより、台座１２全体が天井に完全固定される。
【００２５】
そして、このように天井に固定された台座１２に、カメラユニット１４が結合される。具体的には、カメラユニット１４に設けられた上述の相手方端子の位置が、台座１２（本体部２４）側のユニット接続端子３６の位置に合わせられた状態で、当該カメラユニット１４が台座１２側に押し込まれる。これによって、これら相手方端子とユニット接続端子３６とが嵌合し、電気的に接続される。また、このとき、台座１２に設けられた上述の固定用ネジ４８および５０の頭部が、カメラユニット１４側に設けられた図示しない円弧状の係合孔（広い部分と狭い部分とから成る長孔のうちの当該広い部分）に挿入される。そして、図４に矢印４２で示す方向（反時計回り）にカメラユニット１４が回転されると、上述の固定用ネジ４８および５０の頭部が係合孔（狭い部分）に係合し、カメラユニット１４が台座１２に仮止めされた状態になる。また、このとき、ユニット接続端子３６は、図４に点線３６ａで示す位置に移動する。そして、この仮止めの状態で、各固定用ネジ４８および５０が締められると、カメラユニット１４は台座１２に強固に結合され、図２に示すような状態になる。
【００２６】
続いて、カメラユニット１４を覆うように、カバー１６が台座１２に取り付けられる。具体的には、カバー１６を構成するドーム状窓１６ａを下方に向けた状態で、当該カバー１６が台座１２に押し込まれる。このとき、台座１２側に設けられた上述の案内部４６および４６が、位置合わせの目安とされる。そして、カバー１６が、垂直方向に沿う軸を中心として所定の方向に所定の角度だけ回転されると、台座１２側に設けられた上述の係止部４４，４４，…が、カバー１６側の相手方係止部に係止される。これによって、カバー１６の取り付けが完了し、監視カメラ装置１０全体としての一連の取付作業が完了する。なお、監視カメラ装置１０を天井から取り外す場合には、上述と逆の作業を行えばよい。
【００２７】
以上のように、この実施形態によれば、台座１２構成する仮止部２２および本体部２４のうち、先に仮止部２２のみが天井にネジ止めされることによって、台座１２全体が当該天井に仮固定される。そして、この仮固定の状態で、各端子３０，３２，３４および３４と外部配線との接続が行われる。このとき、本体部２４は、上述したピン２６および２６によって仮止部２２に連結された状態にあるので、当該本体部２４を何らかの方法により保持する必要はない。そして、端子３０，３２，３４および３４と外部配線との接続作業の終了後、本体部２４が天井にネジ止めされ、これによって台座１２全体が当該天井に完全に固定される。従って、外部配線との接続を行う際にその接続対象である後箱を何らかの方法により保持しなければならないという上述した従来技術に比べて、取付作業の効率性および安全性が向上する。また、配線ミス等があっても、従来よりも容易に当該配線ミスを修正することができる。
【００２８】
なお、この実施形態においては、台座１２（監視カメラ装置１０）を天井に直接取り付ける場合について説明したが、これに限らない。例えば、天井埋め込み用の金具等の何らかの構造物を介して当該台座１２を取り付ける場合にも、この発明を適用することができる。また、壁面等の天井以外の対象に取り付けてもよい。
【００２９】
そして、台座１２、カメラユニット１４およびカバー１６のそれぞれを互いに別個の構成要素としたが、これらの一部または全部を一体化してもよい。
【００３０】
さらに、この実施形態で説明した監視カメラ１０は、カメラユニット１４に設けられたカメラ１４ａの向きがエレベーション方向およびアジマス方向のそれぞれに任意に変更可能なものであるが、これに限らない。例えば、当該カメラ１４ａの向きがエレベーション方向およびアジマス方向のいずれか一方のみに変更可能なものであってもよいし、固定とされたものであってもよい。この場合、カバー１６を構成する窓１４ａは、ドーム状のものでなくてもよい。
【００３１】
そしてさらに、本体部２４側に各端子３０，３２，３４および３４を設けたが、これらの端子３０，３２，３４および３４の一部または全部を仮止部２２側に設けてもよい。ただし、この場合も、当該各端子３０，３２，３４および３４を外部から操作し易いように構成することが、肝要である。
【００３２】
また、この実施形態では、本体部２４が、言わば天井に対して平行を成す軸（ピン２６および２６）を中心として回転するにように構成したが、これに限らない。例えば、図７に示すように、仮止部２２と本体部２４とを天井に対して垂直な方向に並べ、当該天井に対して垂直を成す軸１００を中心として本体部２４が回転するように構成してもよい。
【図面の簡単な説明】
【００３３】
【図１】この発明の一実施形態の外観を示す斜視図である。
【図２】同実施形態においてカバーが無い状態を示す斜視図である。
【図３】同実施形態における台座の側面図である。
【図４】同台座の底面図である。
【図５】図３とは異なる状態を示す側面図である。
【図６】図５の状態を異なる方向から見た斜視図である。
【図７】同実施形態の別の例を示す図解図である。
【符号の説明】
【００３４】
１０  監視カメラ装置
１２  台座
２０  ネジ挿通孔
２２  仮止部
２４  本体部
２６  ピン
３０  電源端子
３２  映像信号出力端子
３４  制御用端子
【図１】
2006208446.tif 000003
【図２】
2006208446.tif 000004
【図３】
2006208446.tif 000005
【図４】
2006208446.tif 000006
【図５】
2006208446.tif 000007
【図６】
2006208446.tif 000008
【図７】
2006208446.tif 000009